(57)【要約】【課題】かご室内の意匠を容易に変更することができるエレベータの乗りかごを得る。【解決手段】かご室床１の上方には、かご室天井７が設けられている。かご室床１とかご室天井７との間には、かご室壁３が設けられている。かご室壁３は、かご室床１上に設けられた幅木２により支持されている。かご室天井７は、上端保持部６を介してかご室壁３に載せられている。かご室壁３は、かご室壁本体１４と、かご室壁本体１４のかご室内部側に重ねられた意匠板１５とを有している。幅木２には、意匠板１５の下縁部と係合する下部押さえ部材５が取付ボルト２３により着脱可能に取り付けられている。意匠板１５は、上端保持部６及び下部押さえ部材５との係合によりかご室壁本体１４に取り付けられている。意匠板１５は、かご室内部からの下部押さえ部材５の幅木２に対する着脱により、かご室壁本体１４に対して着脱される。【選択図】図２
2005082255.tif 000002
【特許請求の範囲】
【請求項１】
かご室床、
上記かご室床の上方に設けられているかご室天井、
上記かご室床と上記かご室天井との間に設けられ、かご室壁本体と、上記かご室壁本体のかご室内部側に重ねられる意匠板とを有するかご室壁、及び
上記かご室壁本体に対して取り付けられることにより上記意匠板の周縁部の少なくとも一部と係合して上記意匠板の上記かご室内部側への変位を規制するとともに、上記かご室壁本体に対して上記かご室内部から着脱可能になっている押さえ部材
を備えていることを特徴とするエレベータの乗りかご。
【請求項２】
上記かご室床に設けられ、上記かご室壁を支持する下端支持部、及び
上記かご室天井に設けられ、上記意匠板の上端部が挿入される上端保持部
をさらに備え、上記押さえ部材は、上記下端支持部に取り付けられることを特徴とする請求項１に記載のエレベータの乗りかご。
【請求項３】
上記かご室床と上記かご室壁の下端部との間には、上記下端支持部により隙間が設けられており、上記押さえ部材は、上記隙間内から上記下端支持部に取り付けられた取付具により上記下端支持部に取り付けられることを特徴とする請求項２に記載のエレベータの乗りかご。
【請求項４】
かご室床、
上記かご室床の上方に設けられているかご室天井、
上記かご室床と上記かご室天井との間に設けられ、かご室壁本体と、上記かご室壁本体のかご室内部側に重ねられる意匠板とを有し、上記外側意匠板が上記貫通孔を通して上記かご室内部側を臨むかご室壁、及び
飾り金とされた頭部を有し、かご室内部側からかご室壁に螺着され、上記意匠板を上記かご室壁本体に対して取り付ける意匠板取付ねじ
を備えていることを特徴とするエレベータの乗りかご。
【請求項５】
上記意匠板の両面には、互いに異なる意匠面が設けられていることを特徴とする請求項１乃至請求項４の何れかに記載のエレベータの乗りかご。
【請求項６】
上記意匠板は、外側意匠板と、上記外側意匠板のかご室内部側に重ねられ、貫通孔が設けられた内側意匠板とを有していることを特徴とする請求項１乃至請求項５の何れかに記載のエレベータの乗りかご。
【請求項７】
上記内側意匠板及び上記外側意匠板の少なくともいずれか一方の両面には、互いに異なる意匠面が設けられていることを特徴とする請求項６に記載のエレベータの乗りかご。
【請求項８】
上記外側意匠板は、光透過性の材料により作製されており、
上記外側意匠板のかご室外部側には、上記外側意匠板及び上記貫通孔を通して上記かご室内部に光を供給する光源が設けられていることを特徴とする請求項６に記載のエレベータの乗りかご。
【発明の詳細な説明】
【技術分野】
【０００１】
この発明は、昇降路内を昇降されるエレベータの乗りかごに関するものである。
【背景技術】
【０００２】
従来、エレベータの乗りかごでは、かご室の側板は、かご室の天井板及び床板に固定されている。また、天井板は、側板により支持されている（例えば、特許文献１参照）。
【０００３】
【特許文献１】特開平９−７７４３１号公報
【発明の開示】
【発明が解決しようとする課題】
【０００４】
しかし、従来のエレベータの乗りかごでは、側板の表面がかご室内に直接露出されているので、かご室内の意匠を変更する際には、側板自体を取り換えなければならない。側板を取り換えるためには、かご室の天井板を持ち上げる必要があるので、多大な手間がかかってしまう。
【０００５】
この発明は、上記のような問題点を解決することを課題としてなされたものであり、かご室内の意匠を容易に変更することができるエレベータの乗りかごを得ることを目的とする。
【課題を解決するための手段】
【０００６】
この発明に係るエレベータの乗りかごは、かご室床、かご室床の上方に設けられているかご室天井、かご室床とかご室天井との間に設けられ、かご室壁本体と、かご室壁本体のかご室内部側に重ねられる意匠板とを有するかご室壁、及びかご室壁本体に対して取り付けられることにより意匠板の周縁部の少なくとも一部と係合して意匠板のかご室内部側への変位を規制するとともに、かご室壁本体に対してかご室内部から着脱可能になっている押さえ部材を備えている。
【発明の効果】
【０００７】
この発明に係るエレベータの乗りかごでは、かご室壁本体と、かご室壁本体のかご室内部側に重ねられる意匠板とを有するかご室壁を用い、意匠板のかご室内部側への変位を規制する押さえ部材をかご室壁本体に対してかご室内部から着脱可能に取り付けたので、かご室内部側で意匠板を容易に取り換えることができ、かご室内の意匠を容易に変更することができる。
【発明を実施するための最良の形態】
【０００８】
実施の形態１．
図１は、この発明の実施の形態１によるエレベータの乗りかごのかご室内を示す正面図である。図において、かご室床１上には、かご室床１の縁部に沿って延びた下端支持部である幅木２が設けられている。幅木２上には、複数のかご室壁３が立設されている。各かご室壁３の上端部には、かご室天井７が載せられている。かご室天井７は、かご室床１の上方に設けられている。なお、かご室天井７には、かご室内照明用の照明器具８が取り付けられている。
【０００９】
図２は、図１のII-II線に沿った断面図である。図において、幅木２は、基部９と、基部９の上縁部からかご室内部側へ水平に延びた上部延出部１０と、基部９の下縁部からかご室外部側へ水平に延びた下部延出部１１とを有している。下部延出部１１は、ボルト１２によりかご室床１に固定されている。上部延出部１０は、基部９の高さ分だけかご室床１の上方に配置されている。上部延出部１０の上面には、かご室壁３の下端部が当接されている。即ち、かご室床１とかご室壁３の下端部との間には、幅木２により隙間１３が設けられている。
【００１０】
各かご室壁３は、幅木２により支持されている。また、各かご室壁３は、かご室壁本体１４と、かご室壁本体１４のかご室内部側に重ねられた意匠板（化粧板）１５とを有している。
【００１１】
かご室壁本体１４は、かご室床１に対して垂直に立てられた壁パネル１６と、壁パネル１６の下縁部のかご室外部側の面に溶接により固定された断面コ字状の下部補強部材１７と、壁パネル１６の上縁部のかご室外部側の面に溶接により固定された断面コ字状の上部補強部材１８とを有している。下部補強部材１７は、複数のボルト１９により幅木２に固定されている。
【００１２】
意匠板１５のかご室内部側及びかご室外部側のそれぞれの面には、互いに異なる意匠面が設けられている。意匠板１５の各意匠面の大きさは、壁パネル１６を覆う程度の大きさになっている。また、意匠板１５の意匠面は、例えば塗装、エッチング加工及びヘアライン加工等により仕上げられている。
【００１３】
上部補強部材１８上には、意匠板１５の上縁部を保持する上端保持部６が設けられている。上端保持部６は、複数のボルト２０によりかご室天井７とともに上部補強部材１８に固定されている。また、上端保持部６は、上部補強部材１８に固定された固定部２４と、固定部２４のかご室内部側の縁部から下方へ延びた止め部２５とを有している。即ち、上端保持部６の断面形状は、Ｌ字状となっている。止め部２５と壁パネル１６との間には、意匠板１５の上縁部が挿入されている。なお、かご室天井７の周縁部及び固定部２４のそれぞれには、各ボルト２０が通された複数の貫通穴（図示せず）が設けられている。
【００１４】
幅木２には、意匠板１５の下縁部に係合された押さえ部材である下部押さえ部材５が着脱可能に取り付けられている。下部押さえ部材５は、上部延出部１０の下面に着脱可能に取り付けられた取付部２１と、取付部２１のかご室内部側の縁部から上方へ延びた規制部２２とを有している。即ち、下部押さえ部材５の断面形状は、Ｌ字状となっている。取付部２１には、長穴（図示せず）が設けられている。取付部２１は、長穴に挿入された取付具である取付ボルト２３により上部延出部１０に取り付けられている。取付ボルト２３は、隙間１３内から上部延出部１０に取り付けられている。
【００１５】
下部押さえ部材５の上部延出部１０に対する取り付け位置は、取付ボルト２３に対する長穴の位置調整により調整される。この位置の調整により、規制部２２は意匠板１５のかご室内部側の面に当接され、下部押さえ部材５は意匠板１５の下縁部に係合される。意匠板１５は、下部押さえ部材５の係合によりかご室内部側への変位が規制される。
【００１６】
図３は、図１のIII-III線に沿った断面図である。図において、互いに隣り合うかご室壁３の間には、各壁パネル１６に当接された金属製のスペーサ２６が設けられている。各壁パネル１６は、スペーサ２６を介して複数組のボルト２７及びナット２８により互いに締結されている。これにより、各かご室壁３は、互いに連結されている。なお、各壁パネル１６のスペーサ２６への当接部分及びスペーサ２６には、ボルト２７が通された複数の貫通穴がそれぞれ設けられている。
【００１７】
スペーサ２６のかご室内部側には、かご室壁３の側縁部と係合する押さえ部材である側部押さえ部材３１が設けられている。側部押さえ部材３１は、スペーサ２６に着脱可能に取り付けられた目地取付部３２と、目地取付部３２のかご室内部側の縁部から意匠板１５に沿って互いに反対の方向へそれぞれ延びた一対の側部規制部３３とを有している。
【００１８】
目地取付部３２には、かご室内部側からスペーサ２６側へ貫通する貫通穴３４が設けられている。側部押さえ部材３１は、貫通穴３４に通された小ねじ３５によりスペーサ２６に取り付けられている。各側部規制部３３は、各意匠板１５の側縁部のかご室内部側の面に当接されている。各意匠板１５は、各側部規制部３３の当接によりかご室内部側への変位が規制される。
【００１９】
次に、意匠板１５のかご室壁本体１４に対する取り換え手順について説明する。
意匠板１５をかご室壁本体１４から取り外す際、まず、かご室内部側で例えばドライバー等の工具により小ねじ３５を外して側部押さえ部材３１をスペーサ２６から取り外す。次に、かご室内部側で例えばスパナ等の工具により取付ボルト２３を外して下部押さえ部材５を幅木２から取り外す。この後、意匠板１５を少し彎曲させながら意匠板１５の下部をかご室内部側へ少し出して下方へ引き落とす。このとき、意匠板１５の上縁部は止め部２５と壁パネル１６との間から抜け、意匠板１５はかご室壁本体１４から取り外される。
【００２０】
意匠板１５を取り外した後、上記の逆の手順により、取り換え用の別の意匠板あるいは裏返した意匠板１５をかご室壁本体１４に取り付ける。
【００２１】
このようなエレベータの乗りかごでは、意匠板１５の周縁部の少なくとも一部と係合して意匠板１５のかご室内部側への変位を規制する下部押さえ部材５及び側部押さえ部材２９がかご室壁本体１４に対してかご室内部から着脱可能に取り付けられているので、かご室内部側で意匠板１５を容易に取り換えることができる。従って、かご室内の意匠を容易に変更することができる。
【００２２】
また、意匠板１５の上縁部が挿入される上端保持部６がかご室天井７に設けられるとともに、かご室壁３を支持する幅木２がかご室床１に設けられ、下部押さえ部材５は幅木２に取り付けられているので、上端保持部６とかご室壁本体１４との間への意匠板１５の抜き差しにより、意匠板１５の上縁部をかご室壁本体１４に対して容易に着脱することができ、意匠板１５をさらに容易に取り換えることができる。
【００２３】
また、かご室床１とかご室壁３の下端部との間には幅木２により隙間が設けられ、この隙間内から下部押さえ部材５が取付ボルト２３により幅木２に取り付けられているので、下部押さえ部材５の取付部分をかご室内で目立ちにくくすることができ、かご室内の意匠性を向上させることができる。
【００２４】
また、意匠板１５のかご室内部側及びかご室外部側のそれぞれの面、即ち両面に互いに異なる意匠面が設けられているので、意匠板１５を裏返すことによりかご室内の意匠を変更することができる。従って、取り換え用の意匠板を用いることなくかご室内の意匠を変更することができ、意匠板１５を有効に利用することができる。従って、かご室内の意匠変更のためのコストを低減することができる。
【００２５】
なお、上記の例では、意匠板１５の両面に互いに異なる意匠面が設けられているが、取り換え用の意匠板によりかご室内の意匠を変更することができるので、意匠板１５のかご室内部側の面のみに意匠面を設けていてもよい。
【００２６】
また、上記の例では、意匠板１５の取り換えの際、取付ボルト２３は幅木２から完全に取り外されるが、取付ボルト２３を緩めて下部押さえ部材５をずらすだけで意匠板１５の下縁部と下部押さえ部材５との係合が外れるのであれば、取付ボルト２３を幅木２から完全に取り外す必要はない。
【００２７】
実施の形態２．
図４は、この発明の実施の形態２によるエレベータの乗りかごの要部縦断面図である。図において、壁パネル１６のかご室外部側の面には、壁パネル１６に沿って水平に延びた断面Ｌ字状の手摺取付用補強部材４１が溶接により固定されている。意匠板１５は、手摺取付用補強部材４１の高さを境にして分割された上部分割意匠板４２及び下部分割意匠板４３を有している。上部分割意匠板４２と下部分割意匠板４３との間には、上部分割意匠板４２の下縁部及び下部分割意匠板４３の上縁部に係合された水平押さえ部材４４が配置されている。水平押さえ部材４４は、かご室壁本体１４に着脱可能に取り付けられている。
【００２８】
かご室内には、かご室手摺４５がかご室壁３に沿って水平に設けられている。かご室手摺４５は、水平押さえ部材４４を介してかご室壁本体１４に着脱可能に取り付けられている。また、かご室手摺４５は、水平押さえ部材４４に沿って水平に延びた中空の手摺部４６と、手摺部４６をかご室壁本体１４に対して取り付けるための複数の腕部４７とを有している。
【００２９】
手摺部４６の下部には、手摺部４６の長さ方向に沿って延びた開放部４８が設けられている。各腕部４７は、手摺部４６の長さ方向に沿って間隔を置いて配列されている。また、各腕部４７は、手摺部４６から水平押さえ部材４４へ延びた中空管である。かご室手摺４５は、手摺部４６の内部から腕部４７内を通された手摺用取付ボルト４９により水平押さえ部材４４を介してかご室壁本体１４に取り付けられている。なお、手摺部４６、水平押さえ部材４４及び壁パネル１６には、手摺用取付ボルト４９を通すための貫通穴がそれぞれ設けられている。また、手摺取付用補強部材４１には、手摺用取付ボルト４９が螺着されるねじ穴が設けられている。
【００３０】
上部分割意匠板４２及び下部分割意匠板４３は、かご室手摺４５とともにかご室壁本体１４に締着された水平押さえ部材４４との係合により、それぞれのかご室内部側への変位が規制される。他の構成は実施の形態１と同様である。
【００３１】
次に、上部分割意匠板４２及び下部分割意匠板４３のかご室壁本体１４に対する取り換え手順について説明する。
上部分割意匠板４２及び下部分割意匠板４３をかご室壁本体１４から取り外す際、スペーサ２６から側部押さえ部材３１を、幅木２から下部押さえ部材５をそれぞれ実施の形態１と同様にして取り外す。この後、下部分割意匠板４３の上縁部を水平押さえ部材４４とかご室壁本体１４との間から下方へ抜き取り、下部分割意匠板４３をかご室壁本体１４から取り外す。この後、例えばスパナ等の工具を開放部４８から手摺部４３の内部に挿入し、手摺用取付ボルト４９をかご室壁本体１４から取り外す。これにより、水平押さえ部材４４がかご室手摺４５とともにかご室壁本体１４から外れる。この後、上部分割意匠板４２の上縁部を止め部２５と壁パネル１６との間から下方へ抜き取り、上部分割意匠板４２をかご室壁本体１４から取り外す。
【００３２】
上部分割意匠板４２及び下部分割意匠板４３をかご室壁本体１４から取り外した後、上記の逆の手順により、取り換え用の上部分割意匠板及び下部分割意匠板あるいはそれぞれ裏返した上部分割意匠板４２及び下部分割意匠板４３をかご室壁本体１４に取り付ける。
【００３３】
このようなエレベータの乗りかごでは、意匠板１５は、互いに分割された上部分割意匠板４２及び下部分割意匠板４３を有し、上部分割意匠板４２の下縁部及び下部分割意匠板４３の上縁部と係合する水平押さえ部材４４がかご室手摺４５とともにかご室壁本体１４に着脱可能に取り付けられているので、かご室手摺４５が設けられたかご室内であってもかご室内の意匠を容易に変更することができる。
【００３４】
また、手摺用取付ボルト４９が手摺部４６内から腕部４７内を通されているので、かご室内の意匠の低下を防止することができる。
【００３５】
また、手摺部４６に開放部４８が手摺部４６に設けられているので、手摺部４６内の手摺用取付ボルト４９をかご室内でかご室壁本体１４から取り外すことができ、かご室手摺４５及び水平押さえ部材４４をかご室壁本体１４に対して容易に着脱することができる。また、手摺部４６の下部に開放部４８が設けられているので、開放部４８によるかご室内の意匠性の低下を小さくすることができる。
【００３６】
なお、上記の例では、意匠板１５は、上部分割意匠板４２及び下部分割意匠板４３に分割されているが、分割せずに、手摺用取付ボルト４９が通される貫通穴を意匠板１５に設けて、手摺用取付ボルト４９により意匠板１５をかご室手摺４５とともにかご室壁本体１４に取り付けてもよい。
【００３７】
実施の形態３．
図５はこの発明の実施の形態３によるエレベータの乗りかごのかご室壁３を示す正面図であり、図６は図５のVI-VI線に沿った断面図である。図において、意匠板１５の周縁部には、複数の貫通穴６２が設けられている。意匠板１５は、各貫通穴６２に通された複数の意匠板取付ねじ６３によりかご室壁本体１４に取り付けられている。なお、壁パネル１６の周縁部には、各意匠板取付ねじ６３が螺着される複数のねじ穴６４が設けられている。即ち、意匠板１５は、各意匠板取付ねじ６３によりかご室壁本体１４に着脱可能に取り付けられている。
【００３８】
各意匠板取付ねじ６３の頭部６３ａは、かご室内部側に露出されている。また、頭部６３ａは、かご室内の意匠を向上させるための飾り金とされている。即ち、頭部６３ａは、意匠板１５を装飾する形状に加工されている。さらに、頭部６３ａは、例えばスパナ等の工具が係合する形状とされている。なお、他の構成は実施の形態１と同様であるが、実施の形態１での下部押さえ部材５、上端保持部６及び側部押さえ部材３１は、ここでは用いられていない。
【００３９】
このようなエレベータの乗りかごでは、意匠板取付ねじ６３の頭部６３ａがかご室内に露出されているので、かご室内から意匠板１５を容易に取り換えることができる。さらに、頭部６３ａが飾り金とされているので、かご室内の意匠性を向上させることができる。
【００４０】
実施の形態４．
図７はこの発明の実施の形態４によるエレベータの乗りかごのかご室壁３を示す正面図であり、図８は図７のVIII-VIII線に沿った断面図である。図において、意匠板１５は、かご室壁本体１４のかご室内部側に重ねられた外側意匠板７２と、外側意匠板７２のかご室内部側に重ねられた内側意匠板７４とを有している。外側意匠板７２の周縁部には、複数の貫通穴７３が設けられている。内側意匠板７４には、意匠面を装飾する貫通孔である複数の飾り穴７５と、複数の貫通穴７６とが設けられている。各貫通穴７６は、内側意匠板７４の周縁部に設けられている。外側意匠板７２及び内側意匠板７３は、貫通穴７５及び貫通穴７６を通された意匠板取付ねじ６３によりかご室壁本体１４に取り付けられている。
【００４１】
外側意匠板７２の意匠面の色は、内側意匠板７４の意匠面の色と異なっている。外側意匠板７２は、飾り穴７５を通してかご室内部側を臨んでいる。また、外側意匠板７２のかご室内部側及びかご室外部側のそれぞれの面（両面）は互いに異なる意匠面とされ、内側意匠板７４のかご室内部側及びかご室外部側のそれぞれの面（両面）も互いに異なる意匠面とされている。他の構成は実施の形態３と同様である。
【００４２】
このようなエレベータの乗りかごでは、複数の飾り穴７５が設けられた内側意匠板７４が外側意匠板７２のかご室内部側に重ねられており、外側意匠板７２が各飾り穴７５を通してかご室内部側を臨んでいるので、かご室内に露出する意匠面が立体的となり、かご室内の意匠性をさらに向上させることができる。
【００４３】
なお、上記の例では、外側意匠板７２及び内側意匠板７４のそれぞれの両面がともに意匠面とされているが、外側意匠板７２及び内側意匠板７４のいずれか一方の両面を意匠面としてもよい。このようにしても、かご室内の意匠を容易に変更することができる。
【００４４】
実施の形態５．
図９はこの発明の実施の形態５によるエレベータの乗りかごのかご室壁３を示す正面図であり、図１０は図９のX-X線に沿った断面図である。図において、下部補強部材１７は壁パネル１６の下端部に、上部補強部材１８は壁パネル１６の上端部にそれぞれ溶接により固定されている。壁パネル１６のかご室内部側には、壁パネル１６と対向する外側意匠板８２が配置されている。外側意匠板８２は、下部補強部材１７及び上部補強部材１８に重ねられている。また、外側意匠板８２は、光透過性の材料（例えばプラスチック樹脂あるいはガラス等）により作製されている。外側意匠板８２のかご室内部側には、内側意匠板８３が重ねられている。内側意匠板８３には、その意匠面を装飾するための貫通孔である複数の飾り穴８４が設けられている。即ち、外側意匠板８２は、飾り穴８４を通してかご室内部側を臨んでいる。なお、意匠板１５は、外側意匠板８２と内側意匠板８３とを有している。
【００４５】
外側意匠板８２とかご室壁本体１４との間、即ち外側意匠板８２のかご室外部側には、外側意匠板８２及び飾り穴８４を通してかご室内部に光を供給する光源である電球８５が設けられている。電球８５は、壁パネル１６に取り付けられている。
【００４６】
内側意匠板８３のかご室内部側の意匠面には、例えば絵や彫刻等の模様が施されている。ここでは、各飾り穴８４は、内側意匠板８３に施された模様により、樹木の枝に実る果実に見立てられている。このように、模様の構成は、各飾り穴８４の位置と関連づけられている。また、内側意匠板８２のかご室内部側及びかご室外部側のそれぞれの面には、互いに異なる意匠面が設けられている。
【００４７】
外側意匠板８２及び内側意匠板８３のそれぞれの上縁部は、上端保持部６と上部補強部材１８との間に挿入されている。下部押さえ部材５は、内側意匠板８３の下縁部と係合して、外側意匠板８２及び内側意匠板８３のそれぞれのかご室内部側への変位を規制している。他の構成は実施の形態１と同様である。
【００４８】
このようなエレベータの乗りかごでは、光透過性の外側意匠板８２とかご室壁本体１４との間に電球８５が設けられ、外側意匠板８２のかご室内部側には複数の飾り穴８４が設けられた内側意匠板８３が重ねられているので、電球８５からの光が外側意匠板８２及び各飾り穴８４を通してかご室内に供給され、かご室内の意匠性をさらに向上させることができる。
【図面の簡単な説明】
【００４９】
【図１】この発明の実施の形態１によるエレベータの乗りかごのかご室内を示す正面図である。
【図２】図１のII-II線に沿った断面図である。
【図３】図１のIII-III線に沿った断面図である。
【図４】この発明の実施の形態２によるエレベータの乗りかごの要部縦断面図である。
【図５】この発明の実施の形態３によるエレベータの乗りかごのかご室壁を示す正面図である。
【図６】図５のVI-VI線に沿った断面図である。
【図７】この発明の実施の形態４によるエレベータの乗りかごのかご室壁を示す正面図である。
【図８】図７のVIII-VIII線に沿った断面図である。
【図９】この発明の実施の形態５によるエレベータの乗りかごのかご室壁を示す正面図である。
【図１０】図９のX-X線に沿った断面図である。
【符号の説明】
【００５０】
１  かご室床、２  幅木（下端支持部）、３  かご室壁、５  下部押さえ部材（押さえ部材）、６  上端保持部、７  かご室天井、１３  隙間、１４  かご室壁本体、１５  意匠板、２３  取付ボルト（取付具）、３１  側部押さえ部材（押さえ部材）、６３  意匠板取付ねじ、６３ａ  頭部、７２，８２  外側意匠板、７４，８３  内側意匠板、８５  電球（光源）。
【図１】
2005082255.tif 000003
【図２】
2005082255.tif 000004
【図３】
2005082255.tif 000005
【図４】
2005082255.tif 000006
【図５】
2005082255.tif 000007
【図６】
2005082255.tif 000008
【図７】
2005082255.tif 000009
【図８】
2005082255.tif 000010
【図９】
2005082255.tif 000011
【図１０】
2005082255.tif 000012